(57)【要約】【課題】  従来のゴミステーションはゴミの量に変化に対応できず、設置スペースの確保が困難であった。【解決手段】  この発明のゴミステーション１００は、４個の主柱１と、当該主柱１と主柱１との間に設けられ且つ面的に伸縮可能なパンタグラフ伸縮機構の側壁５０とから構成される。主柱１の下端には、ストッパー付きキャスター５が設けられる。主柱１をキャスター５により移動することで側壁５０を伸ばし、この主柱１を四方に移動することで、ゴミステーション１００を広げることができる。ゴミの収集が終わったら、主柱１を移動して側壁５０を縮める。このようにすれば、変化するゴミの量に合理的に対応でき、スペースの限られた場所でも効率的に使用できる。【選択図】  図１
2010195573.tif 000002
【特許請求の範囲】
【請求項１】
３個以上の主柱と、少なくとも２個以上の前記主柱に設けたキャスターその他の可動手段と、前記主柱と主柱との間に設けられ且つ面的に伸縮可能なパンタグラフ伸縮機構式柵その他の側壁と、を備えたことを特徴とするゴミステーション。
【請求項２】
前記側壁の少なくとも１つは、前記主柱に対して着脱可能であることを特徴とする請求項１に記載のゴミステーション。
【請求項３】
前記側壁は、着脱側と反対側が前記主柱に開閉可能に軸支され且つその側壁が側壁面に略垂直方向に剛性を有するものであることを特徴とする請求項１または２に記載のゴミステーション。
【請求項４】
更に、前記主柱または側壁に装着可能で且つ当該側壁と略同形状のネット又はシートを有することを特徴とする請求項１〜３のいずれか一つに記載のゴミステーション。
【請求項５】
更に、主柱または側壁の両端頂部への係止部を両側に有すると共に前記ネット又はシートの上辺に取り付けられる伸縮棒を備えていることを特徴とする請求項４に記載のゴミステーション。
【請求項６】
更に、前記主柱または側壁の上辺と他の側壁の上辺との間に渡して装着可能なネット又はシートを有することを特徴とする請求項１〜５のいずれか一つに記載のゴミステーション。
【請求項７】
更に、前記主柱または側壁の両端頂部への係止部を両側に有すると共に前記ネット又はシートの対向する２辺に取り付けられる伸縮棒を備えていることを特徴とする請求項６に記載のゴミステーション。
【発明の詳細な説明】
【技術分野】
【０００１】
本発明は、形状を変化させることで様々なゴミ置き場やゴミの量に対応できるゴミステーションに関するものである。
【背景技術】
【０００２】
従来、団地や町内会などではゴミ収集日には、各家庭からのゴミは、一定のゴミ収集場所に収集していた。昨今では、ゴミステーションなるゴミ収集のためのゴミ箱を設置している町内もある。
【０００３】
しかし、家庭から出るゴミは、収集日によって、不燃ごみや生ごみなどその日のゴミの種類によって多い日、少ない日など千差万別である。生ゴミなどの収集日は、従来のゴミ箱に収容できていたが、不燃ゴミや紙・スチロールなどの収集日には、ゴミの量(体積)が多く、従来のゴミ箱では収容しきれず、外にはみ出していた。そのため風の強い日などには、強風でゴミが飛ばされ、ゴミが散乱していた。
【０００４】
また、従来、公園や海水浴場、キャンプ場などには、ゴミ収集用のゴミかごが設置されているところが多くあるが、かかるゴミかごの大きさは一定の大きさ(容積)で、しかも、決まった数しか設置してないのが現状であった。また、その日の人出によってゴミの量は大幅に左右される。特に、飲料水なとのペットボトルや空き缶などの量は、その日の天候によっても大幅に増減する。このため、ゴミが多い日などは、前記ゴミかごからゴミがはみ出し、ゴミかごの辺りにゴミが散乱していた。さらに、公園や海水浴場・キャンプ場、イベント会場などでは、プラスチックや発泡スチロールなどの弁当箱等が多く、これらは軽いために風に飛ばされたり、鳥獣の餌になったりして、大変不衛生であった。
【０００５】
この種のゴミステーションとして、特願２０００−２６９５４号公報に記載された先行技術も存在するが、ゴミの容量の変化には対応していない。
【先行技術文献】
【特許文献】
【０００６】
【特許文献１】特願２０００−２６９５４号
【発明の概要】
【発明が解決しようとする課題】
【０００７】
この発明は上記課題を解決するためになされたものである。
【課題を解決するための手段】
【０００８】
この発明のゴミステーションは、３個以上の主柱と、少なくとも２個以上の前記主柱に設けたキャスターその他の可動手段と、前記主柱と主柱との間に設けられ且つ面的に伸縮可能なパンタグラフ伸縮機構式フェンスその他の側壁とを備えたことを特徴とする。
【０００９】
また、この発明のゴミステーションは、上記発明において、前記側壁の少なくとも１つは、前記主柱に対して着脱可能であることを特徴とする。
【００１０】
また、この発明のゴミステーションは、上記発明において、前記側壁は、着脱側と反対側が前記主柱に開閉可能に軸支され且つその側壁が側壁面に略垂直方向に剛性を有するものであることを特徴とする。
【００１１】
また、この発明のゴミステーションは、上記発明において、更に、前記主柱または側壁に装着可能で且つ当該側壁と略同形状のネット又はシートを有することを特徴とする。
【００１２】
また、この発明のゴミステーションは、上記発明において、更に、主柱または側壁の両端頂部への係止部を両側に有すると共に前記ネット又はシートの上辺に取り付けられる伸縮棒を備えていることを特徴とする。
【００１３】
また、この発明のゴミステーションは、上記発明において、更に、前記主柱または側壁の上辺と他の側壁の上辺との間に渡して装着可能なネット又はシートを有することを特徴とする。
【００１４】
また、この発明のゴミステーションは、上記発明において、更に、前記主柱または側壁の両端頂部への係止部を両側に有すると共に前記ネット又はシートの対向する２辺に取り付けられる伸縮棒を備えていることを特徴とする。
【図面の簡単な説明】
【００１５】
【図１】この発明の実施の形態１にかかるゴミステーションを示す斜視図である。
【図２】図１に示したゴミステーションの主柱及び側壁を示す側面図である。
【図３】図２の側壁を縮めた状態を示す説明図である。
【図４】この発明のゴミステーションの使用方法を示す説明図である。
【図５】このゴミステーションに装着するシートを示す平面図である。
【図６】図５に示したシートに用いる伸縮棒を示す平面図である。
【図７】ゴミステーションの天井を構成するシートを示す平面図である。
【図８】天井シートを装着した状態のゴミステーションを示す側面図である。
【図９】この発明の実施の形態２にかかるゴミステーションを示す構成図である。
【図１０】この発明の実施の形態３にかかるゴミステーションを示す構成図である。
【発明を実施するための形態】
【００１６】
（実施の形態１）
図１は、この発明の実施の形態１にかかるゴミステーションを示す平面図である。図２は、図１に示したゴミステーションの主柱及び側壁を示す側面図である。図３は、図２の側壁を縮めた状態を示す説明図である。このゴミステーション１００は、下端にストッパー付きのキャスター５を有する４つの主柱１と、主柱１と主柱１との間にそれぞれ設けられた４つの側壁５０とから構成されている。同図では、側壁５０を最大に伸ばした状態で、ゴミステーション１００が正方形となるように構成した。
【００１７】
主柱１は、アルミニウム、ステンレス鋼板、合成樹脂等からなり、下端に設けたストッパー付きキャスター５により所定位置に移動し、当該ストッパーにより前記所定位置にて動かないように固定できる。なお、同図に示したように全ての主柱１の下端にキャスター５を設けても良いが、ある程度ゴミステーション１００の設置場所が決まっているのであれば、一つの主柱１は地面に対して固定するようにしても良い。この場合、主柱１の下端にフランジを設け、このフランジに対してアンカーボルトにより地面に固定するようになる（図示省略）。
【００１８】
側壁５０は、アルミニウム、ステンレス鋼板、合成樹脂等からなり、複数の支柱２と複数の傾斜リンクバー３とで構成されるパンタグラフ伸縮機構式の柵からなり、図２に示すように、複数本の右上がりの傾斜リンクバー３ｒと、複数の左上がりの傾斜リンクバー３ｌとを交差部分にてピン８により回転可能に連結されている。また、右上がり傾斜リンクバー３ｒの一端は左上がり傾斜リンクバー３ｌの一端とピン７により回転可能に連結し、当該ピン７は支柱２の溝４をスライド可能であり、この一方で右上がり傾斜リンクバー３ｒの一端は左上がり傾斜リンクバー３ｌの一端とピン６により回転可能に支柱２に連結され、これが上下一組となってパンタグラフ伸縮機構の柵を構成している。この側壁５０は、図３に示すように、面方向に縮めることができる。
【００１９】
３つの側壁５１，５２，５３は、その左右の支柱２が主柱１に固定されている。１つの側壁５４は、一方側が主柱１に対してヒンジ９により固定されており、図１に示すように、開閉可能となっている。側壁５０にパンタグラフ伸縮機構を採用した場合、面に対して略垂直方向に対して一定の剛性を有するので、開閉動作により側壁５４が大きく反ったりすることがない。また、当該側壁５４の反対側には、マグネット１０が設けられている。主柱１側にも、当該マグネット１０に対応するマグネット１０が設けられている。このマグネット１０により側壁５４の支柱２が主柱１に対して着脱可能になる。なお、マグネット１０の他、支柱２側に回転可能にフックを設け、このフックが係止する突起を主柱１に設けるようにし、支柱２と主柱１とを着脱可能としても良い（図示省略）。
【００２０】
次に、この発明のゴミステーション１００の使用方法について説明する。まず、図４(ａ)及び（ｂ）に示すように、特定の２つの主柱１のストッパーを外して一方向に移動し、一つの主柱１のストッパーにより当該主柱１を固定する。次に、図４（ｃ）に示すように、もう一つの主柱１と未だ移動していない主柱１（この主柱１のストッパーは外しておく）とを前記方向に垂直な方向に移動し、両主柱１のストッパーにより当該主柱１を固定する。これにより、ゴミステーション１００を四方に広げることができる。そして、各主柱１の移動量によりゴミステーション全体の大きさ或いは形を自由に設定できる。同図に示すゴミステーション１００は、側壁５０の寸法が同じなので、最大に伸ばした状態で正方形となる。対向する両側壁５０の長さを、残りの対向する両側壁５０の長さと異なるものとすれば、最大に伸ばした状態で長方形にできる。
【００２１】
また、ユーザは前記マグネット１０で主柱１に装着した側壁５０を主柱１から外し、ヒンジを９中心に開くことができる。このようにすれば、ユーザは、ゴミステーション１００内にゴミを入れ易い。特に、大きなゴミを入れるときに便利である。なお、開けた側壁５０は、ヒンジ９を中心に元に戻すことで、前記マグネット１０同士の作用により閉じることができる。
【００２２】
以上、この発明のゴミステーション１００によれば、ゴミの量が多い時は、四方に側壁５０を広げて使用し、ゴミの量が少ない時は、側壁５０を縮めて使用できるので、ゴミステーション１００の設置場所の面積が少なくて済む。ゴミ収集した後は、縮めておけるため、広い面積を必要としない。本発明は、公園、海水浴場、キャンプ場などの日によってゴミの増減が大きい場所に好適である。更に、歩道の電柱を取り囲むように設置することもできるので、ゴミステーション１００の設置場所に苦慮している団地などにも適している。また、側壁５０を用いてゴミの散乱を防ぐので衛生的であると共に、ゴミ袋の積上が容易なため、小スペースにて効率的にゴミを収容することができる。
【００２３】
更に、本発明のゴミステーション１００は、軽量で伸縮自在のため、縮めて簡単に運搬できる。このため、仮設のイベント会場等のゴミステーションとして好適である。なお、本発明のゴミステーション１００を木材で製作すれば、町並み景勝地区などに設置する場合でも景観を壊すことなく、町並みに溶け込める。間伐材を利用して製作すれば、エコロジーとしての一躍が担える。
【００２４】
図５は、このゴミステーションに装着する側壁シートを示す平面図である。図６は、図５に示した側壁シートに用いる伸縮棒を示す平面図である。図７は、ゴミステーションの天井を構成する天井シートを示す平面図である。図８は、天井シートを装着した状態のゴミステーションを示す側面図である。まず、側壁シート１５０は、側壁５０を伸ばしきった場合の当該側壁５０と略同形状及び同寸法である。この側壁シート１５０の上辺１５１は筒状になっており、伸縮棒１５２が挿通されている。伸縮棒１５２は、２分割構造であり大径の中空棒１５３に小径の中空棒１５４を差し込んであり、大径の中空棒１５３の入り口に摩擦力により小径の中空棒１５４を引き出した位置で固定するためのスリーブ１５５が設けられている。この伸縮棒１５２の両端には、主柱１の頂部の突起１５６に引っ掛けるための環状体１５７が設けられている。
【００２５】
側壁シート１５０は、ビニールや布製である。伸縮棒１５２の環状部１５７を主柱１の突起１５６に係止することで、側壁５０が側壁シート１５０によりカバーされる。これにより、猫等の獣がゴミステーション１００内に入るのを阻止できる。また、外部からゴミが見え難くなるので、美観の点でも効果的である。なお、側壁シート１５０は、伸縮棒１５２を縮めることでコンパクトにまとめることができる。なお、図示しないが、側壁５０の両端の支柱２の頂部に突起を設け、側壁シート１５０の伸縮棒１５２の環状部１５７を係止するようにしても良い。
【００２６】
次に、天井シート１６０は、側壁５０を四方に伸ばしきった場合のゴミステーション１００の上から見た形（この例では正方形）と略同形状及び同寸法である。この天井シート１６０の対向する二辺１６１，１６２は筒状になっており、伸縮棒１５２が挿通されている。伸縮棒１５２は、上記同様の構成である。天井シート１６０は、ビニールや布製である。伸縮棒１５２の環状部１５７を主柱１の突起１５６に係止することで、図８に示すように、ゴミステーション１００の上が天井シート１６０によりカバーされる。これにより、鳥がゴミステーション１００内に入るのを阻止できる。また、外部からゴミが見え難くなるので、美観の点でも効果的である。当該天井シート１６０は、伸縮棒１５２を縮めることでコンパクトにまとめることができる。なお、上記側壁シート１５０及び天井シート１６０に関し、側壁５０の両端の支柱２の頂部に突起を設け、天井シート１６０の伸縮棒１５２の環状部１５７を係止するようにしても良い（図示省略）。また、主柱１の頂部と伸縮棒１５２の両端との係止は、前記環状部１５７と突起１５６に限定されない。更に、シートではなくネットでも良い（図示省略）。
【００２７】
（実施の形態２）
図９は、この発明の実施の形態２にかかるゴミステーションを示す構成図である。このゴミステーション２００は、主柱１が３つ設けられ、この主柱１と主柱１との間に側壁５０を設けた構成である。各主柱１及び側壁５０の構造は、実施の形態１のゴミステーション１００と同じであるから説明を省略する。このゴミステーション２００は側壁５０を伸ばしきった状態で直角三角形である。主柱１が３つの場合、壁２０１の角に対して設置することができる。また、側壁シート１５０は図５に示すものと同じ形状のものを用いることができる。天井シートは、各角に環状部（１５７）を配した三角形となる（いずれも図示省略）。
【００２８】
（実施の形態３）
図１０は、この発明の実施の形態３にかかるゴミステーションを示す構成図である。このゴミステーション３００は、実施の形態１のゴミステーション１００と略同じ構成であるが、伸縮する側壁３５０を複数の伸縮棒３５１で構成した点が異なる。この伸縮棒３５１は、径が異なる多数の中空棒３５２からなり、大径の中空棒３５２内にそれより小径の中空棒３５２を順次挿入し、それぞれを引き出すことができるようにした構造である。各中空棒３５２は内部のストッパーにより引き出したときに抜けないようになっている（図示省略）。この伸縮棒３５２を支柱２の間に複数配置することで伸縮可能な側壁３５０となる。この側壁３５０は伸ばした状態で面に対して略垂直方向に対して一定の剛性を有するので、図１に示したような開閉用の側壁として好適である。
【符号の説明】
【００２９】
１００  ゴミステーション
５０  側壁
１  主柱
２  支柱
３  傾斜リンクバー
４  溝
５  キャスター
６，７，８  ピン
９  ヒンジ
１０  マグネット
【図１】
2010195573.tif 000003
【図２】
2010195573.tif 000004
【図３】
2010195573.tif 000005
【図４】
2010195573.tif 000006
【図５】
2010195573.tif 000007
【図６】
2010195573.tif 000008
【図７】
2010195573.tif 000009
【図８】
2010195573.tif 000010
【図９】
2010195573.tif 000011
【図１０】
2010195573.tif 000012